(57)【要約】【課題】荷物が持っている配送情報の収集を出発地や各中継集配所で容易に行える荷物の移動状況を管理できるようにする。【解決手段】配送情報を記憶するメモリを備えていて、このメモリに配送情報が記憶されるとその配送情報をこのメモリの周囲のエリアに無線信号として発信できる構造のＩＣタグ６を配送伝票１に設け、ＩＣタグ６を配送伝票１を介して荷物に支持させておく。この荷物が各中継集配所を通過する際にその荷物の情報をＩＣタグ６からの無線発信を受信することにより収集し、その荷物の追跡はその荷物の配送ルート上の各中継集配所にその荷物の通過記録があるか否かを検索することにより行う。【選択図】　図１
2004026407.tif 000002
【特許請求の範囲】
【請求項１】
配送情報を記憶するメモリを備えていて、該メモリに前記配送情報が記憶されるとその配送情報を該メモリの周囲のエリアに無線信号として発信できる構造のＩＣタグを荷物に支持させておき、該荷物が各中継集配箇所を通過する際にその荷物の情報を前記ＩＣタグからの無線発信を受信することにより収集し、その荷物の追跡はその荷物の配送ルート上の前記各中継集配箇所にその荷物の通過記録があるか否かを検索することにより行うことを特徴とする荷物の移動状況管理方法。
【請求項２】
荷送り人、荷受け人、その他の配送情報を記載した配送伝票の一部に、配送情報を記憶するメモリを備えていて、該メモリに前記配送情報が記憶されるとその配送情報を該メモリの周囲のエリアに無線信号として発信できる構造のＩＣタグが設けられていることを特徴とする配送伝票。
【請求項３】
前記配送伝票は、複数枚の伝票単紙が重ねて綴じられた構成となっており、前記ＩＣタグは前記複数枚の伝票単紙のうち、持ち帰りとなる伝票単紙に一体に設けられていることを特徴とする請求項２に記載の配送伝票。
【発明の詳細な説明】
【０００１】
【発明の属する技術分野】
本発明は、荷物の移動状況管理方法及び配送伝票に関するものである。
【０００２】
【従来の技術】
従来、配送業者による荷物の配送作業にあっては、一般に、荷送り人、荷受け人、その他の配送情報を記載した配送伝票が荷物に取り付けられ、配送作業員により、配送伝票に記載されている配送情報に従って荷受け人に配送されている。近年、荷物の配送量の増大と、配送網の発達に伴い、１つの荷物が複数の配送作業員や複数の中継箇所を経由して荷受け人に配送されるといった配送システムが多く採用されるに至っている。
【０００３】
このような配送システムでは、荷物の移動状況管理が非常に重要な課題となり、この荷物の移動状況管理手段として、配送伝票の表紙となる配送伝票単紙に、荷送り人、荷受け人、その他の配送情報を表示するバーコードを記載し、出発地や各中継集配箇所のポイントポストで、その荷物の配送伝票に記載されたバーコードをスキャナーで読み取り、荷物の配送情報を収集し荷物の移動状況管理することが提案されている。
【０００４】
【発明が解決しようとする課題】
しかしながら、荷物に取り付けられている配送伝票の表紙に記載のバーコードをスキャナーで読み取るには、バーコードにスキャナーを接近させなければならず、これを配送作業員が荷物毎に行うとすれば、多大の労力を必要とし、作業性が悪く、配送作業を遅らせることにもなりかねないといった問題点があった。
【０００５】
本発明の目的は、荷物が持っている配送情報の収集を出発地や各中継集配箇所で容易に行える荷物の移動状況管理方法及び配送伝票を提供することにある。　　　本発明の他の目的は、配送情報の記憶、発信を行うＩＣタグの回収を、届け先から容易に行える配送伝票を提供することにある。
【０００６】
【課題を解決するための手段】
上記の目的を達成する本発明の手段を説明すると、下記の通りである。
請求項１に記載の荷物の移動状況管理方法は、配送情報を記憶するメモリを備えていて、該メモリに前記配送情報が記憶されるとその配送情報を該メモリの周囲のエリアに無線信号として発信できる構造のＩＣタグを荷物に支持させておき、該荷物が各中継集配箇所を通過する際にその荷物の情報を前記ＩＣタグからの無線発信を受信することにより収集し、その荷物の追跡はその荷物の配送ルート上の前記各中継集配箇所にその荷物の通過記録があるか否かを検索することにより行うことを特徴とする。
【０００７】
このように、ＩＣタグは配送情報を記憶するメモリを備えていて、該メモリに配送情報が記憶されるとその配送情報をそのメモリの周囲のエリアに無線発信できる構造になっているので、出発前にメモリに特定な荷物の配送情報を記憶させ、該メモリに配送情報が記憶されたＩＣタグを前記荷物に支持させて配送すれば、出発地や各中継集配箇所ではその無線発信を到達エリア内で受信することにより、荷物の配送情報の収集を容易に行うことができる。また、その荷物の追跡は、その荷物の配送ルート上の各中継集配箇所にその荷物の通過記録があるか否かを検索することにより容易に行うことができる。
【０００８】
請求項２に記載の発明は、荷送り人、荷受け人、その他の配送情報を記載した配送伝票の一部に、配送情報を記憶するメモリを備えていて、該メモリに前記配送情報が記憶されるとその配送情報を該メモリの周囲のエリアに無線信号として発信できる構造のＩＣタグが設けられていることを特徴とする。
【０００９】
このようなＩＣタグが配送伝票の一部に設けられていると、配送伝票を荷物に取り付けることにより、ＩＣタグを荷物に支持させることができるので、ＩＣタグを荷物に支持させるための特別な作業を必要とせず、そして、出発前にメモリに特定な荷物の配送情報を記憶させ、該メモリに配送情報が記憶されたＩＣタグを設けた配送伝票を前記荷物に取り付けて配送すれば、出発地や各中継集配箇所ではその無線発信を到達エリア内で受信することにより、荷物の配送情報の収集を容易に行うことができる。また、その荷物の追跡は、その荷物の配送ルート上の各中継集配箇所にその荷物の通過記録があるか否かを検索することにより容易に行うことができる。
【００１０】
請求項３に記載の発明は、請求項２において、前記配送伝票は、複数枚の伝票単紙が重ねて綴じられた構成となっており、前記ＩＣタグは前記複数枚の伝票単紙のうち、持ち帰りとなる伝票単紙に一体に設けられていることを特徴とする。
【００１１】
このように、ＩＣタグが持ち帰りとなる伝票単紙に一体に設けられていると、その持ち帰りとなる伝票単紙を到達荷物の配送伝票から分離した際に、ＩＣタグが一緒に分離され、回収することができる。これによりＩＣタグを再利用することができ、コストの低減化を図ることができる。
【００１２】
【発明の実施の形態】
先ず本発明に係る荷物の移動状況管理方法の実施の形態の一例を説明する。◎本例の荷物の移動状況管理方法は、配送情報を記憶するメモリを備えていて、該メモリに配送情報が記憶されるとその配送情報を該メモリの周囲のエリアに無線信号として発信できる構造のＩＣ（集積回路）タグを用意し、このＩＣタグに備えたメモリに特定の荷物の配送情報を記憶させ、該荷物に適宜の手段により支持させておき、そして、該荷物が中継集配される各中継集配箇所に、前記ＩＣタグからの無線発信を受信する受信装置を備えておき、前記各中継集配箇所を通過する際にその荷物の情報をＩＣタグからの無線発信を受信することにより収集し、その荷物の追跡はその荷物の配送ルート上の各中継集配箇所にその荷物の通過記録があるか否かを検索することにより行う。
【００１３】
前記前記ＩＣタグを荷物に支持させる手段として、特に限定されるものではないが、本例では荷物に取り付けられる配送伝票に設けられ、配送伝票を介して荷物に支持させている。
【００１４】
次に、本発明に係る荷物の移動状況管理方法の実施に使用される配送伝票の実施の形態の一例を図１乃至図４により説明する。
図１は本例の配送伝票の側面図、図２は図１のＡ−Ａ線断面図、図３はＩＣタグの平面図、図４は本例の配送伝票での持ち帰りとなる伝票単紙を切り離した状態を示す説明図である。
【００１５】
本例の配送伝票１は、上側から、客控えとなる伝票単紙２（以下、単に伝票単紙２という。）、請求書となる伝票単紙３（以下、単に伝票単紙３という。）、荷札となる伝票単紙４（以下、単に伝票単紙４という。）、持ち帰り用となる伝票単紙５（以下、単に伝票単紙５という。）、ＩＣタグ６、送り状となる伝票単紙７（以下、単に伝票単紙７という。）、荷札を兼ねた荷物貼着台紙となる伝票単紙８（以下、単に伝票単紙８という。）の順で重ねられて構成されている。前記伝票単紙８の裏面には、裏面に接着剤９と、この接着剤９を被覆する離型紙１０を有している。
【００１６】
前記構成にあって、伝票単紙２、伝票単紙３、伝票単紙４、伝票単紙５、伝票単紙７及び伝票単紙８は、公知の配送伝票のそれらと変わるところはない。前記ＩＣタグ６は、タグ６ａ本体に、配送情報を記憶するメモリを備えていて、該メモリに配送情報が記憶されるとその配送情報を該メモリの周囲のエリアに無線信号として発信できる構造のＩＣ（集積回路）６ｂが設けられている。前記伝票単紙２，３，４，８は同じ大きさに形成されており、また、前記伝票単紙５，７は前記伝票単紙２，３，４，８より上下幅が狭幅に形成されている。また、前記ＩＣタグ６の大きさは、前記伝票単紙２，３，４，８より上下幅が狭幅に形成されており、後述するように、可能な限り小さいことが好ましい。
【００１７】
前記の配送伝票１は、図１に示すように、伝票単紙２、伝票単紙３、伝票単紙４、伝票単紙５、ＩＣタグ６、伝票単紙７、伝票単紙８の順で重ねられ、図面左側の端縁が接着剤１１で相互に接着され一体となっている。また、伝票単紙４，５，７，８は、図面右側の端縁が疑似接着剤１２で剥離可能に相互に接着されている。また伝票単紙４と伝票単紙８は、図面上下端縁が疑似接着剤１３で剥離可能に相互に接着されている。
【００１８】
また、前記伝票単紙２、伝票単紙３、伝票単紙５、ＩＣタグ６、伝票単紙７には、接着剤１１で接着されている図面左側の端縁近傍にミシン目１４が形成されており、切り取り可能となっている。また、伝票単紙５とＩＣタグ６は、前記ミシン目１４の右側で接着剤１５で接着され一体となっている。
【００１９】
このようにして一体に構成された配送伝票１の、伝票単紙２、伝票単紙３、伝票単紙４、伝票単紙５、伝票単紙７及び伝票単紙８にあっては、前記ＩＣタグ６と重なる部分Ａが、前記ＩＣタグ６の保護のために、非印字部分として空けてある。従って、各伝票単紙２，３，４，５，７，８の非印字部分を少なくするために、前記ＩＣタグ６は、その大きさをできるだけ小さくすることが好ましい。
【００２０】
このような配送伝票１は、予めＩＣタグ６のＩＣ６ｂのメモリに配送情報を記憶させて、配送伝票１を作成する。そして、該配送伝票１の各伝票単紙２，３，４，５，７，８の所定の箇所に必要な配送情報を印字し、客控えとなる伝票単紙２と請求書となる伝票単紙３をミシン目１４から切り取り、伝票単紙８の裏面から離型紙１０を剥がして、荷物に貼り付ける。
【００２１】
このようにして、メモリに配送情報が記憶されたＩＣタグ６を支持させた荷物を配送すると、出発地や荷物が中継集配される各中継集配箇所に、前記ＩＣタグ６からの無線発信を受信する受信装置を備えておくことにより、荷物が出発地や前記各中継集配箇所を通過する際に、その荷物の情報をＩＣタグ６からの無線発信を受信することにより容易に収集することができる。また、その荷物の追跡は、その荷物の配送ルート上の各中継集配箇所にその荷物の通過記録があるか否かを検索することにより容易に行うことができる。
【００２２】
前記ＩＣタグ６からの無線発信を受信する中継集配箇所にあっては特に限定されるものではなく、配送トラックの荷物出し入れ口であってもよい。
【００２３】
そして、荷物が荷受け人に届けられると、持ち帰り用となる伝票単紙５がミシン目１４から切り取られ、受領印をもらって持ち帰るが、この伝票単紙５の切り離し時に、伝票単紙５に接着剤１５で接着しているＩＣタグ６も伝票単紙５と一体となってミシン目１４から切り取られることになり、ＩＣタグ６も伝票単紙５と一緒に持ち帰ることにより、ＩＣタグ６を確実に回収することができる。ＩＣタグ６は比較的高価であり、再利用することによりコストを下げることができる。
【００２４】
なお、本例では、ＩＣタグ６を支持する配送伝票１として、複数の伝票単紙２，３，４，５，７，８を重ねて構成されたものが使用されているが、かかる配送伝票１に限定されるものではない。
【００２５】
【発明の効果】
請求項１に記載の荷物の移動状況管理方法によれば、ＩＣタグは配送情報を記憶するメモリを備えていて、該メモリに配送情報が記憶されるとその配送情報をそのメモリの周囲のエリアに無線発信できる構造になっているので、出発前にメモリに特定な荷物の配送情報を記憶させ、該メモリに配送情報が記憶されたＩＣタグを前記荷物に支持させて配送することにより、出発地や各中継集配箇所ではその無線発信を到達エリア内で受信することにより、荷物の配送情報の収集を容易に行うことができ、また、その荷物の追跡は、その荷物の配送ルート上の各中継集配箇所にその荷物の通過記録があるか否かを検索することにより容易に行うことができ、そしてこれらの作業は、配送作業員に余計な労力を強いることなく、容易に且つ確実に行うことができる。
【００２６】
また請求項２に記載の配送伝票によれば、ＩＣタグが配送伝票の一部に設けられているので、配送伝票を荷物に取り付けることにより、ＩＣタグを荷物に支持させることができ、ＩＣタグを荷物に支持させるための特別な作業を必要とせず、そして、出発前にメモリに特定な荷物の配送情報を記憶させ、該メモリに配送情報が記憶されたＩＣタグを設けた配送伝票を前記荷物に取り付けて配送すれば、出発地や各中継集配箇所ではその無線発信を到達エリア内で受信することにより、荷物の配送情報の収集を容易に行うことができる。また、その荷物の追跡は、その荷物の配送ルート上の各中継集配箇所にその荷物の通過記録があるか否かを検索することにより容易に行うことができる。
【００２７】
請求項３に記載の配送伝票によれば、前記配送伝票は、複数枚の伝票単紙が重ねて綴じられた構成となっており、前記ＩＣタグは前記複数枚の伝票単紙のうち、持ち帰りとなる伝票単紙に一体に設けられているので、持ち帰りとなる伝票単紙を到達荷物の配送伝票から分離した際に、ＩＣタグが一緒に分離され、回収することができ、これによりＩＣタグを再利用することができるので、コストの低減化を図ることができる。
【図面の簡単な説明】
【図１】本発明に係る配送伝票の実施の形態の一例を示した側面図。
【図２】図１のＡ−Ａ線断面図。
【図３】図１に示すＩＣタグの平面図。
【図４】図１の配送伝票での持ち帰りとなる伝票単紙を切り離した状態を示す説明図。
【符号の説明】
１　配送伝票
２　客控えとなる伝票単紙
３　請求書となる伝票単紙
４　荷札となる伝票単紙
５　持ち帰り用となる伝票単紙
６　ＩＣタグ
６ａ　タグ本体
６ｂ　ＩＣ（集積回路）
７　送り状となる伝票単紙
８　荷札を兼ねた荷物貼着用台紙となる伝票単紙
９　接着剤
１０　離型紙
１１　接着剤
１２，１３　疑似接着剤
１４　ミシン目
１５　接着剤
【図１】
2004026407.tif 000003
【図２】
2004026407.tif 000004
【図３】
2004026407.tif 000005
【図４】
2004026407.tif 000006